(57)【要約】【課題】  複数の被測定対象のそれぞれを最適なタイミングで測定することができる多チャネル測定装置を実現することを目的にする。【解決手段】  本発明は、被測定対象が複数あり、被測定対象からの信号が入力されるチャネルを複数有し、各チャネルに入力された信号を測定した測定データを記憶部に格納する多チャネル測定装置に改良を加えたものである。本装置は、被測定対象ごとにチャネルをグループ化するグループ化手段と、各グループからの測定データの記憶部への格納開始と格納終了を、グループごとに個別に行なう記憶処理手段とを設けたことを特徴とするものである。【選択図】                    図１
2006071445.tif 000002
【特許請求の範囲】
【請求項１】
被測定対象が複数あり、被測定対象からの信号が入力されるチャネルを複数有し、各チャネルに入力された信号を測定した測定データを記憶部に格納する多チャネル測定装置において、
被測定対象ごとに前記チャネルをグループ化するグループ化手段と、
各グループからの測定データの前記記憶部への格納開始と格納終了を、グループごとに個別に行なう記憶処理手段と
を設けたことを特徴とする多チャネル測定装置。
【請求項２】
前記記憶部に格納される測定データの測定周期をグループごとに個別に設定することを特徴とする請求項１記載の多チャネル測定装置。
【請求項３】
記憶処理手段は、測定データをグループごとに個別のファイルにして格納することを特徴とする請求項１または２記載の多チャネル測定装置。
【発明の詳細な説明】
【技術分野】
【０００１】
本発明は、被測定対象が複数あり、被測定対象からの信号が入力されるチャネルを複数有し、各チャネルに入力された信号を測定した測定データを記憶部に格納する多チャネル測定装置に関し、詳しくは、複数の被測定対象のそれぞれを最適なタイミングで測定することができる多チャネル測定装置に関するものである。
【背景技術】
【０００２】
従来の多チャネル測定装置は、各チャネルで測定した測定データを内蔵メモリまたは外部のメディア等の記憶部にファイルとして保存する（例えば、特許文献１〜特許文献３参照）。このような多チャネル測定装置は、同一の被測定対象を測定することを前提に構成されている。
【０００３】
そして、被測定対象を、詳細に測定するため様々な測定条件（例えば、チャネルごとに異なる測定周期で測定する（いわゆる、マルチインターバル機能））で測定することができる。従って、各チャネルがどのような測定条件であったとしても、チャネル間の測定データが、時間関係を保つように測定、保存を行なう。
【０００４】
例えば、マルチインターバル機能を用いることにより、同一の被測定対象に対して異なる測定周期（ある現象に対しては速い測定周期で測定して測定データを保存し、他の現象に対しては遅い測定周期で測定して測定データを保存）で測定することができる。そして、各チャネルの時間関係を保つように、記憶部への測定データの格納は、各チャネルで同時に開始する。また、特許文献３に示すように、測定データの格納開始が異なるとしても、トリガ信号を基準として時間関係を保つように測定データを格納する。
【０００５】
【特許文献１】特許第３０５７２９０号公報
【特許文献２】特許第３０５７２９０号公報
【特許文献３】特開平１１−２１１５２０号公報（段落番号０００８−００３５、第１−３図）
【発明の開示】
【発明が解決しようとする課題】
【０００６】
測定を行う場合、同一の被測定対象でなく、全く別々の被測定対象を測定する場合もある。このような被測定対象の間には、時間的な関係を持たないことが多い。逆に被測定対象それぞれを最適なタイミングで測定する必要があり、測定データの格納開始、格納終了をチャネルごとに変える必要がある。
【０００７】
しかしながら、従来の多チャネル測定装置では、各チャネル間の時間関係を保つように測定を行うので、被測定対象に対して最適なタイミングに測定を開始し、測定を終了することが難しい。従って、測定するチャネルが余っていたとしても、被測定対象ごとに多チャネル測定装置を複数台設けなければならないという問題があった。
【０００８】
そこで本発明の目的は、複数の被測定対象のそれぞれを最適なタイミングで測定することができる多チャネル測定装置を実現することにある。
【課題を解決するための手段】
【０００９】
請求項１記載の発明は、
被測定対象が複数あり、被測定対象からの信号が入力されるチャネルを複数有し、各チャネルに入力された信号を測定した測定データを記憶部に格納する多チャネル測定装置において、
被測定対象ごとに前記チャネルをグループ化するグループ化手段と、
各グループからの測定データの前記記憶部への格納開始と格納終了を、グループごとに個別に行なう記憶処理手段と
を設けたことを特徴とするものである。
【００１０】
請求項２記載の発明は、請求項１記載の発明において、
前記記憶部に格納される測定データの測定周期をグループごとに個別に設定することを特徴とするものである。
請求項３記載の発明は、請求項１または２記載の発明において、
記憶処理手段は、測定データをグループごとに個別のファイルにして格納することを特徴とするものである。
【発明の効果】
【００１１】
本発明によれば、以下のような効果がある。
請求項１〜３によれば、グループ化手段が、被測定対象ごとにチャネルをグループ化する。そして、記憶処理手段が各グループからの測定データを、グループごとに個別のタイミングで記憶部に格納する。これにより、複数の被測定対象のそれぞれを最適なタイミングで測定することができる多チャネル測定装置
【００１２】
請求項２によれば、グループごとに個別の測定周期を設定するので、被測定対象それぞれに適した測定周期で測定することができる。
【００１３】
請求項３によれば、記憶処理手段が、グループごとに個別のファイルにして保存するので、解析を行なう被測定対象の測定データのみを容易に選択することができる。
【発明を実施するための最良の形態】
【００１４】
以下図面を用いて本発明の実施の形態を説明する。
［第１の実施例］
図１は本発明の第１の実施例を示す構成図である。図１において、一例として、３個の被測定対象１１〜１３がある場合で説明する。多チャネル測定装置２０は、複数のチャネルＣＨ１〜ＣＨ９、ＡＤ変換器２１、ＣＰＵ（Central Processing Unit：中央演算装置）２２、記憶部２３、表示器２４、操作部２５からなる。
【００１５】
チャネルＣＨ１〜ＣＨ９は、被測定対象１１〜１３からの信号が入力される。そして、チャネルＣＨ１〜ＣＨ３は被測定対象１１に接続され、チャネルＣＨ４〜ＣＨ６は被測定対象１２に接続され、チャネルＣＨ７〜ＣＨ９は被測定対象１３に接続される。
【００１６】
ＡＤ変換器２１は、被測定対象１１〜１３からチャネルＣＨ１〜ＣＨ９に入力されたアナログ信号をデジタル信号の測定データに変換する。また、ＡＤ変換器２１は、各チャネルＣＨ１〜ＣＨ９ごと、または複数のチャネルＣＨ１〜ＣＨ９ごとに設けられる。図１では、一例として、チャネルＣＨ１〜ＣＨ３、ＣＨ７〜ＣＨ９ごとにＡＤ変換器２１が設けられ、チャネルＣＨ４〜ＣＨ６で１個のＡＤ変換器２１を兼用している。
【００１７】
ＣＰＵ２２は、グループ化手段２２ａ、記憶処理手段２２ｂを有し、ＡＤ変換器２１それぞれから測定データが入力され、測定データのデータ処理、表示器２４に測定データの表示、記憶部２３に測定データの格納等を行なう。
【００１８】
グループ化手段２２ａは、操作部２５の設定に従って、被測定対象１１〜１３ごとにチャネルＣＨ１〜ＣＨ９をグループ化する。例えば、ＣＨ１〜ＣＨ３を測定グループＧ１とし、ＣＨ４〜ＣＨ６を測定グループＧ２とし、ＣＨ７〜ＣＨ９を測定グループＧ３とする。
【００１９】
記憶処理手段２２ｂは、各グループＧ１〜Ｇ３から出力される測定データを記憶部２３に格納するが、格納開始と格納終了をグループＧ１〜Ｇ３ごとに個別に行なう。
【００２０】
記憶部２３は、例えば、内蔵メモリ、外付けの外部メディア等であり、測定データを記憶する。表示器２４は、被測定対象１１〜１３の測定データや測定データの処理結果等を表示する。
【００２１】
操作部２５は、例えば、装置２０に設けられるキーや、ネットワークで接続される外部装置のキーからなり、各種設定、例えば、ＡＤ変換器２１の測定データの測定周期、各チャネルＣＨ１〜ＣＨ９と被測定対象１〜３との接続の設定等を行なう。
【００２２】
このような装置の動作を説明する。また、図２は、図１に示す装置の記憶処理手段２２ｂの動作を説明したフローチャートである。
操作部２５から各グループＧ１〜Ｇ３の測定周期、測定データの格納を開始する時間、格納を終了する時間等が設定され、図示しないメモリに格納される。
【００２３】
例えば、グループＧ１〜Ｇ３それぞれの測定周期がΔｔ１〜Δｔ３に設定される。また、格納開始時刻がｔｓ１〜ｔｓ３、格納終了時刻がｔｅ１〜ｔｅ３に設定される。なお、測定周期Δｔ１〜Δｔ３は、それぞれ同じでも異なっていてもよく、開始時刻ｔｓ１〜ｔｓ３、終了時刻ｔｅ１〜ｔｅ３も同様に、それぞれ同じでも異なっていてもよい。
【００２４】
また、操作部２５から、各チャネルＣＨ１〜ＣＨ９と被測定対象１〜３との接続が設定される。これによりグループ化手段２２ａが、チャネルＣＨ１〜ＣＨ９をグループ化する。このグループ化した情報は、記憶処理手段２２ｂに出力される。
【００２５】
そして、各グループＧ１〜Ｇ３のＡＤ変換器２１が、被測定対象１１〜１３からの信号をデジタル信号に変換し、測定データとしてＣＰＵ２２に出力する。
【００２６】
さらに、記憶処理手段２２ｂが、図示しないメモリに格納した開始時刻ｔｓ１、終了時刻ｔｅ１を参照し、測定グループＧ１の測定データを記憶部２３に保存するかを判断し、保存する場合は測定データを測定周期Δｔ１で記憶部２３にファイルＦ１として格納する（Ｓ１０、Ｓ１１）。保存しない場合は、測定グループＧ２の判断に進む（Ｓ１０）。
【００２７】
次に、記憶処理手段２２ｂが、図示しないメモリに格納した開始時刻ｔｓ２、終了時刻ｔｅ２を参照し、測定グループＧ２の測定データを記憶部２３に保存するかを判断し、保存する場合は測定データを測定周期Δｔ２で記憶部２３にファイルＦ２として格納する（Ｓ１２、Ｓ１３）。保存しない場合は、測定グループＧ３の判断に進む（Ｓ１２）。
【００２８】
そして、記憶処理手段２２ｂが、図示しないメモリに格納した開始時刻ｔｓ３、終了時刻ｔｅ３を参照し、測定グループＧ３の測定データを記憶部２３に保存するかを判断し、保存する場合は測定データを測定周期Δｔ３で記憶部２３にファイルＦ３として格納し、処理を終了する（Ｓ１４、Ｓ１５）。また、保存しない場合も、処理を終了する（Ｓ１４）。なお、測定データを格納動作中は、図２に示す動作を繰り返す処理をする。
【００２９】
このように、グループ化手段２２ａが、被測定対象１１〜１３ごとにチャネルＣＨ１〜ＣＨ９をグループ化する。そして、記憶処理手段２２ｂが各グループＧ１〜Ｇ３からの測定データを、グループＧ１〜Ｇ３ごとに個別のタイミングで記憶部２３に格納する。これにより、複数の被測定対象１１〜１３のそれぞれを最適なタイミングで測定することができる。
【００３０】
つまり、１台の測定装置２０によって、従来の多チャネル測定装置を複数台用いて測定していたのと同等の測定（測定データを被測定対象ごとに最適なタイミングで格納する）を行なうことができる。図３を用いて説明する。図３は、図１に示す装置２０と従来の装置との比較を示した図である。ここで、図１と同一のものは同一符号を付し、説明を省略すると共に図示も省略する。図３（ａ）は、従来の装置を用いた場合の構成であり、被測定対象１１〜１３ごとに、従来の多チャネル測定装置３０を３台必要とし、各装置３０ごとに被測定対象１１〜１３を測定した測定データのファイルＦ１’〜Ｆ３’が格納される。一方、図３（ｂ）は、図１に示す測定装置２０を用いた場合であり、１台の測定装置２０で、被測定対象１１〜１３を最適なタイミングで測定できる。
【００３１】
また、図３に示すように、複数の被測定対象１１〜１３を最適なタイミングで測定する場合、従来は複数の測定装置３０が必要だったが、図１に示す測定装置２０ならば一台で測定を行うことができるので、測定装置２０を置くスペース、測定装置２０の消費電力を軽減することができる。
【００３２】
また、グループＧ１〜Ｇ３ごとに個別に測定周期Δｔ１〜Δｔ３を設定するので、被測定対象それぞれに適した測定周期Δｔ１〜Δｔ３で測定することができる。
【００３３】
そして、記憶処理手段２２ｂが、グループＧ１〜Ｇ３ごとに個別のファイルＦ１〜Ｆ３にして保存するので、解析を行なう被測定対象１１〜１３の測定データのみを容易に選択することができる。
【００３４】
なお、本発明はこれに限定されるものではなく、以下のようなものでもよい。
チャネル数を９チャネルとする構成を示したが、何チャネルでもよい。また、各チャネルＣＨ１〜ＣＨ９を、３チャネルごとにグループ化する構成を示したが、何チャネルごとにグループ化してもよく、各グループＧ１〜Ｇ３のチャネル数が異なってもよい。
【００３５】
また、３個の被測定対象１１〜１３を測定する構成を示したが、被測定対象は何個でもよく、グループ化手段２２ａは、被測定対象ごとにチャネルＣＨ１〜ＣＨ９をグループ分けするとよい。
【００３６】
また、グループＧ１〜Ｇ３ごとに測定周期Δｔ１〜Δｔ３を設定する構成を示したが、各チャネルＣＨ１〜ＣＨ９ごとに測定周期を設定してもよい。例えば、同じグループＧ１のＣＨ１〜ＣＨ３の測定周期が、それぞれ異なっていてもよい。
【図面の簡単な説明】
【００３７】
【図１】本発明の第１の実施例を示した構成図である。
【図２】図１に示す装置の動作を説明したフローチャートである。
【図３】図１に示す装置と従来の装置との比較を示した図である。
【符号の説明】
【００３８】
１１〜１３  被測定対象
２０  多チャネル測定装置
２２ａ  グループ化手段
２２ｂ  記憶処理手段
２３  記憶部
Ｇ１〜Ｇ３  測定グループ
ＣＨ１〜ＣＨ９  チャネル
【図１】
2006071445.tif 000003
【図２】
2006071445.tif 000004
【図３】
2006071445.tif 000005